(57)【要約】【課題】握力が不十分な子供や女性や高齢者や身障者であっても、容易にタオルを使用して背中を洗ったり水分を拭き取ったりすることができるタオルであって、簡単且つ安価に構成することができるタオルを提供する。【解決手段】タオル１の両端付近に使用者の左右夫々の指又は手２を入れて引っ掛けた状態にすることができる開口部３、３を形成したものであり、前記タオル１がバスタオル１Ｂの場合、該バスタオル１Ｂの中央に使用者の頭部７を挿入することができる開口部３を形成する。【選択図】図１
0003119024.tif 000002
【実用新案登録請求の範囲】
【請求項１】
タオルの両端付近に使用者の左右夫々の指又は手を入れて引っ掛けた状態にすることができる開口部を形成したことを特徴とするタオル。
【請求項２】
前記タオルがバスタオルの場合、該バスタオルの中央に使用者の頭部を挿入することができる開口部を形成したことを特徴とする請求項１記載のタオル。
【請求項３】
前記開口部は、タオルの布地に形成した穴形状であることを特徴とする請求項１又は２記載のタオル。
【請求項４】
前記開口部は、タオルの布地に形成した切開形状であることを特徴とする請求項１又は２記載のタオル。
【考案の詳細な説明】
【技術分野】
【０００１】
本考案は、子供や女性、或いは高齢者や身障者のように握力の弱い者でも容易に扱えるようにしたタオルに関する。
【背景技術】
【０００２】
従来のタオルは、周知の通り、幅を有する長尺の長方形状に形成されているため、背中を洗ったり、水分を拭き取ったりする際には、左右の手でタオルの両端を握ることによって使用するものである。従って、そのようにタオルの両端を握るには、ある程度の握力が必要であり、子供や女性や高齢者や身障者等のなかには、握力が不十分であるために、タオルを自由に扱うことが困難である場合があった。
【０００３】
ところで、子供や女性や高齢者や身障者等が容易に使用することができるタオルの従来例としては、特許文献１に記載された「リングタオル」がある。これは、少なくともタオル用素材と異質の素材とを交互に繋いでリング状に形成したものであり、従来のタオルとは異なる形状であって、構成が簡単ではなく、コストが高くなるという欠点があった。
【特許文献１】実開平５−３４９９４号公報
【考案の開示】
【考案が解決しようとする課題】
【０００４】
本考案は、上記の事情に鑑みてなされたもので、握力が不十分な子供や女性や高齢者や身障者等であっても、容易に使用して背中を洗ったり水分を拭き取ったりすることができるタオルであって、簡単且つ安価に構成することができるタオルを提供することを目的とする。
【課題を解決するための手段】
【０００５】
上記の目的を達成するために、本考案の請求項１のタオルは、タオルの両端付近に使用者の左右夫々の指又は手を入れて引っ掛けた状態にすることができる開口部を形成したことを特徴とする。
【０００６】
また、本考案の請求項２のタオルは、請求項１において、前記タオルがバスタオルの場合、該バスタオルの中央に使用者の頭部を挿入することができる開口部を形成したことを特徴とする。
【０００７】
また、本考案の請求項３のタオルは、請求項１又は２において、前記開口部は、タオルの布地に形成した穴形状であることを特徴とする。
【０００８】
さらに、本考案の請求項４のタオルは、請求項１又は２において、前記開口部は、タオルの布地に形成した切開形状であることを特徴とする。
【考案の効果】
【０００９】
本考案によるタオルは、タオルの両端付近に使用者の左右夫々の指又は手を入れて引っ掛けることができる開口部を形成してあるため、簡単且つ安価に構成することができ、しかも、従来のタオルのように両端を握って使用するというように強い握力が要求されることがなく、握力が不十分な子供や女性や高齢者や身障者等であっても、このタオルを使用して、容易に背中を洗ったり水分を拭き取ったりすることが可能となる。
【００１０】
また、タオルがバスタオルの場合、該バスタオルの中央に使用者の頭部を挿入することができる開口部を形成したことによって、身体を洗った後に、このタオルの開口部に頭部を入れることにより、タオルを両肩に引っ掛けて身体を覆うように垂らし、この状態でタオルを軽く叩いたりすることによって、容易に身体の水分を拭き取ることが可能となる。
【００１１】
また、本考案のタオルにおいて、開口部を穴形状とし、または切開形状とすることにより、タオルに開口部を容易に形成することができる。
【００１２】
さらに、このようにタオルに開口部を形成すると、タオルを干したりする場合、フック等に開口部を引っ掛けた状態にしてタオルを吊り下げておくことができ、風に吹かれた場合等でも落ちずに吊り下げた状態を保つことができる。
【００１３】
また、本考案のタオルにおいては、両端付近に開口部を形成してあるため、このタオルを首にかけた状態で一方の端部を他方の開口部に挿入することによって、タオルを首に結ばなくても、タオルを首にかけた状態を止めた状態にすることが可能となる。
【考案を実施するための最良の形態】
【００１４】
以下、本考案の実施例について図面を参照しながら説明する。
【実施例１】
【００１５】
本考案によるタオル１は、図１(ａ)〜(ｃ)に示すように、タオル１の両端付近に使用者の左右夫々の指又は手２を入れて引っ掛けた状態にすることができる開口部３を形成した構成を有するものである。
【００１６】
このような構成について詳細に述べると、図１(ａ)〜(ｃ)に示すタオル１は、通常の形状である長尺の長方形に図示してあるが、このような形状に限定されず、角にアールを形成した形状、全体が楕円形に形成された形状、さらにその他の形状であっても本考案のタオル１として適用可能である。
【００１７】
また、本考案のタオル１は、従来のタオル１を構成している綿素材のほかに、肌を洗う際に使用する垢すり用の材料としてナイロン等の合成樹脂によって形成したものを使用してもよい。
【００１８】
いずれの形状或いは素材においても、タオル１の両端付近に形成した開口部３は、使用者の左右夫々の指又は手２を入れて引っ掛けた状態にすることができる径とする。このような開口部３の形状の例としては、図１(ａ)に示すように楕円形や図１(ｂ)に示す長方形等による穴形状４、さらには図１(ｃ)に示す線状の切開形状５によって形成することができる。
【００１９】
また、その開口部３の径の大きさは、上記したように指又は手２を入れて引っ掛けた状態にすることができる径であって、幅３０センチのタオル１であれば、穴形状４の長径側又は切開形状５の長さが約２０センチ程度のものが好ましいが、このような開口部３の長さは特に限定されるものではない。
【００２０】
また、上記のように開口部３を穴形状４に形成した場合、楕円形や長方形のほかに、他の四角形や円形や三角形等の形状としてもよい。いずれにしても、開口部３の周囲は糸がほぐれないように縫製６を施しておくのが好ましい。
【００２１】
上記のタオル１を使用する場合、図２(ａ)又は(ｂ)に示すように、タオル１の両端付近の開口部３に使用者の左右夫々の指又は手２を入れて引っ掛けた状態にしてタオル１を使用する。このような使用方法によって、従来のタオル１のように両端を握って使用するというような握力が要求されることがなく、握力が不十分な子供や女性や高齢者や身障者等であっても、このタオル１を使用して、容易に背中を洗ったり水分を拭き取ったりすることが可能となる。
【００２２】
さらに、上記のようにタオル１に開口部３を形成すると、このタオル１を干したりする場合、フック等に開口部３を引っ掛けた状態にしてタオル１を吊り下げておくことができ、風に吹かれた場合でも落ちずに吊り下げた状態を保つことができる。
【００２３】
また、タオル１がバスタオルの場合、図３(ａ)又は(ｂ)に示すように、バスタオル１Ｂの中央に使用者の頭部７を挿入することができる開口部３を形成した構成とする。このような構成においては、図３(ａ)又は(ｂ)に示すような円形の開口部３のほかに、楕円形、四角形、線状の切開形状等によって形成することが可能である。
【００２４】
上記の構成とすることにより、図４に示すように、身体を洗った後に、このバスタオル１Ｂの開口部３に使用者の頭部７を入れることによってタオル１を両肩に引っ掛けて使用者の身体８を覆うように垂らし、この状態でタオル１を軽く叩いたりすることによって、身体の水分を容易に拭き取ることが可能となる。
【００２５】
なお、図３(ｂ)においては、バスタオル１Ｂの中央に開口部３を形成したほか、両端付近に開口部３として切開形状５を形成してあり、図示は省略するが、この開口部３を上記のように楕円形や長方形のほかに、他の四角形や円形や三角形等の様々な形状の穴形状４（図１(ａ)又は(ｂ)参照）とし、その周囲に縫製６を施した構成としてもよい。
【００２６】
さらに、本考案のタオル１によれば、両端付近に開口部３を形成してあるため、図５に示すように、このタオル１を使用者の首９にかけた状態で一方の端部を他方の開口部３に挿入することによって、タオル１を首９に結ばなくても、タオル１を首９にかけた状態を止めた状態にすることが可能となる。
【産業上の利用可能性】
【００２７】
本考案のタオルは、握力が不十分な子供や女性や高齢者や身障者等が、タオルの両端付近の開口部に使用者の左右夫々の指又は手を入れて引っ掛けた状態にしてタオルを使用することによって、容易に背中を洗ったり水分を拭き取ったりすることができるタオルとして利用することが可能となる。
【図面の簡単な説明】
【００２８】
【図１】本考案によるタオルの平面図であり、(ａ)〜(ｃ)は、異なる形状の開口部を設けた例を示す。
【図２】(ａ)及び(ｂ)は、図１に示すタオルの使用状況を示す図である。
【図３】本考案によるタオルとしてバスタオルを使用した例を示すものであり、(ａ)はバスタオルの中央に開口部を設けた状況を示す平面図であり、(ｂ)はバスタオルの中央に開口部を設け、さらにバスタオルの両端に開口部を設けた状況を示す平面図である。
【図４】図３のバスタオルを使用している状況を示す正面図である。
【図５】本考案のタオルを使用者の首に巻いて止めた状態にした正面図である。
【符号の説明】
【００２９】
１  タオル
１Ｂ  バスタオル
２  使用者の指又は手
３  開口部
４  穴形状
５  切開形状
６  縫製
７  使用者の頭部
８  使用者の身体
９  使用者の首
【図１】
0003119024.tif 000003
【図２】
0003119024.tif 000004
【図３】
0003119024.tif 000005
【図４】
0003119024.tif 000006
【図５】
0003119024.tif 000007